(57)【要約】【課題】  クッション性に富んで寝心地に優れ、かつ、見栄えにも優れるダブルクッションベッドを提供する。【解決手段】  左右両側のそれぞれにサイドレール３を備え、クッション材付床盤１０とマットレス２を下上に重ねたダブルクッションタイプのベッドであり、下側に位置する下側クッション材付床盤１０を、左右のサイドレール３，３の間に、その上端面をサイドレール３の上端面３ａにほぼ揃えて配置し、上側に位置するマットレス２を、クッション材付床盤１０と左右のサイドレール３の上端面３ａ，３ａにわたって載置する。【選択図】      図１
0003115618.tif 000002
【実用新案登録請求の範囲】
【請求項１】
左右両側のそれぞれにサイドレール（３）を備え，クッション材付床盤（１０）とマットレス（２）を下上に重ねたダブルクッションタイプのベッドであり、下側に位置するクッション材付床盤（１０）を，前記左右のサイドレールの間に，その上面を該サイドレールの上端面（３ａ）にほぼ揃えて配置し，上側に位置するマットレス（２）を，クッション材付床盤上に載置してなるダブルクッションベッド。
【請求項２】
平行桟（１４）を配置した四角枠（１３）の上面に平板（１５）を固着したところの水平な床板（１２）上に，アンダー緩衝シート（２３）を介在させて、上下方向に撓むコイルスプリング（２１）を水平面上において縦横に配置し，且つコイルスプリング上にアッパー緩衝シート（２２）を介在させて形成したところのクッション部材（２０）を覆う生地（１１）の周縁を床板の四周壁に固定してクッション材付床盤（１０）を構成し、ベッドの左右両側のサイドレール（３，３）間において該サイドレールに固着した受桟（７）上に前記クッション材付床盤（１０）を配置し，クッション材付床盤の上面と両サイドレールの上端面（３ａ，３ａ）とでほぼ同一水平面を形成させ、クッション材付床盤上に載せたマットレス（２）の左右両端が両サイドレールの上端面にわたって載置されているダブルクッションベッド。
【請求項３】
サイドレール（３）の高さ寸法（H）を大きくし、サイドレールに固着した受桟（７）の下側に非弾性ボトム（１２Ａ）の高さに合致した空間（ｈ）を設けた請求項１又は２記載のダブルクッションベッド。
【考案の詳細な説明】
【技術分野】
【０００１】
本考案は、クッション性に富んで寝心地に優れ、かつ、見栄えにも優れるダブルクッションタイプのベッドに関するものである。
【背景技術】
【０００２】
従来のベッドには、サイドレールの上縁に、スノコ状でバネ効果のある板片を並べた枠体（スラットベースと呼ばれる）を配置し、その上にマットレスを配置したシングルクッションタイプのものや、サイドレールの上縁に天板を配置し、その上に二つのマットレスを二段重ねとしたいわゆるダブルクッションタイプのものがある。これらは、いずれもクッション性の向上を図ることができると言った利点を持つ。
【考案の開示】
【考案が解決しようとする課題】
【０００３】
しかし、スラットベースの上にマットレスを載せたシングルクッションタイプのベッドは、スラットベースを使用しているものの、マットレスは一つしか使用していないので必然的にクッション性に欠け、寝心地において問題がある。
【０００４】
また、二つのマットレスを二段重ねとしたダブルクッションタイプのベッドは、二つのマットレスを使用しているので寝心地には優れるものの、当該二つのマットが露出しているので外から視覚され見栄えが落ちる。最近のベッドは、デザイン的には、シンプルなシングルクッションタイプが主流であるため、二つのマットレスが外から視覚される構成のダブルクッションタイプは、デザインに限界があり、見栄えにおいて問題がある。
【０００５】
本考案はこうした問題に鑑み創案されたもので、クッション性に富んで寝心地に優れ、かつ、見栄えにも優れるダブルクッションベッドを提供することを課題とする。
【課題を解決するための手段】
【０００６】
図１乃至図５を参照して説明する。請求項１に記載のダブルクッションベッドは、左右両側のそれぞれにサイドレール３を備え，弾性床盤１０とマットレス２を下上に重ねたダブルクッションタイプのベッドであり、下側に位置するクッション材付床盤１０を，前記左右のサイドレール３の間に，その上面を該サイドレール３の上端面３ａにほぼ揃えて配置し，上側に位置するマットレス２を，クッション材付床盤１０上に載置してなるものである。
【０００７】
請求項２の考案に係るダブルクッションベッドは、平行桟１４を配置した四角枠１３の上面に平板１５を固着したところの水平な床板１２上に，アンダー緩衝シート２３を介在させて、上下方向に撓むコイルスプリング２１を水平面上において縦横に配置し，且つコイルスプリング上にアッパー緩衝シート２２を介在させて形成したところのクッション部材２０を覆う生地１１の周縁を床板１２の四周壁に固定してクッション材付床盤１０を構成し、ベッドの左右両側のサイドレール３，３間において該サイドレールに固着した受桟７上に前記クッション材付床盤１０を配置し，クッション材付床盤１０の上面と両サイドレール３，３の上端面３ａ，３ａとでほぼ同一水平面を形成させ、クッション材付床盤１０上に載せたマットレス２の左右両端が両サイドレール３，３の上端面３ａ，３ａにわたって載置されているものである。
【０００８】
請求項３の考案は、請求項１又は２記載のダブルクッションベッドにおいて、サイドレール３の高さ寸法Hを大きくし、サイドレール３に固着した受桟７の下側に非弾性ボトム１２Ａの高さに合致した空間ｈを設けたものである。
【考案の効果】
【０００９】
請求項１及び請求項２に記載のダブルクッションベッドは、クッション材付床盤１０は、ボトムと称される床板の機能と下側マットレスの機能を兼備している。それ故、クッション材付床盤１０とマットレス２によって高いクッション性を発揮し、寝心地に優れる。また、クッション材付床盤１０がサイドレール３の上端面３ａから上方に突出しないので、外から視覚されず、よって、シンプルなシングルクッションタイプと同一の外観性を発揮し、見栄えにも優れる。また、マットレス２を、クッション材付床盤１０と左右のサイドレール３の上端面３ａにわたって上載しているので、当該上側マットレス２をクッション部材２０よりも大型に形成することができ、ゆったり感があり、より寝心地の良いベッドを提供することができる。
【００１０】
請求項３の考案は、請求項１又は２の考案において、サイドレール３の高さ寸法Hを大きくし、サイドレール３に固着した受桟７の下側に非弾性ボトム１２Ａの高さに合致した空間ｈを設けたもので、図７に示す如く、サイドレール３を上下反転させて組立て、空間ｈに非弾性ボトム１２Ａを嵌込載置し、その上にマットレス２を載せることにより、シングルクッションベッドとして使用することも出来る。
【考案を実施するための最良の形態】
【００１１】
本考案に係るダブルクッションベッドの実施形態を、図１乃至図５に示す。これは、平行桟１４を配置した四角枠１３の上面に平板１５を固着したところの水平な床板１２上に、ウレタン等のアンダー緩衝シート２３を介在させて、上下方向に撓むコイルスプリング２１を水平面上において縦横に配置し、且つコイルスプリング２１上にアッパー緩衝シート２２を介在させて形成したところのクッション部材２０を覆う生地１１の周縁を床板１２の四周壁に，ホッチキス針状のタッカー釘２４によって固定してクッション材付床盤１０を構成している。
【００１２】
ベッドの左右両側のサイドレール３，３とへッドボード４とフットボード５との間においてサイドレール３に固着した受桟７上に前記クッション材付床盤１０を配置し、クッション材付床盤１０の上面と両サイドレール３，３の上端面３ａ，３ａとフットボード５の上端面５ａとでほぼ同一水平面を形成させている。
【００１３】
クッション材付床盤１０上に載せたマットレス２の左右両端が両サイドレール３，３の上端面３ａ，３ａ及びフットボード５の上端面５ａにわたって載置されている。９は脚部である。
【００１４】
なお、図１の本実施形態におけるクッション材付床盤１０は、二つに分割した分割床盤１０ａ，１０ａで構成している。
【００１５】
本実施形態に係るダブルクッションベッドは、クッション材付床盤１０の上にマットレス２を載せて構成しているので、クッション材付床盤１０とマットレスのはたらきによってクッション性に富み、寝心地に極めて優れる。また、クッション材付床盤１０がサイドレール３の上端面３ａおよびフットボード５の上端面５ａから上方に突出していないので、外から視覚されない。従って、シンプルなシングルクッションタイプと同一の外観性を発揮し、見栄えにも優れる。
【００１６】
さらに、マットレス２を、クッション材付床盤１０と左右のサイドレール３の上端面３ａとフットボード５の上端面５ａの全体にわたって上載しているので、マットレス２をクッション材付床盤１０よりも大型に形成することができる。これにより、ゆったり感があり、さらに寝心地の良いベッドを提供することができる。
【００１７】
図６に示す如くサイドレール３の高さ寸法Hを大きくし、サイドレール３に固着した受桟７の下側に桐床板等の非弾性ボトム１２Ａの高さに応じた空間ｈを設ければ、図７に示す如くサイドレール３を上下反転させて、組立て、空間ｈに非弾性ボトムＡを嵌込載置し、その上にマットレス２を載せることにより、シングルクッションベッドとして使用することも出来る。
【００１８】
なお、本実施形態に係るダブルクッションベッドは、マットレス２を、サイドレール３の上端面３ａとフットボード５の上端面５ａに載せる大きさとしているが、ベッドの形態に対応させて、ヘッドボード４の高さがサイドレール３と同一であれば、当該ヘッドボード４の上端面にも載せる大きさとすることができる。
【図面の簡単な説明】
【００１９】
【図１】本考案に係るダブルクッションベッドの実施形態を示す斜視図である（マットレスを分離した状態）。
【図２】本考案に係るダブルクッションベッドの実施形態を示す斜視図である（マットレスを載置した状態）。
【図３】図２のＡ−Ａ線一部断面図である。
【図４】図３に示す床板の一部切欠斜視図である。
【図５】図３に示すクッション材付床盤の拡大切断面図である。
【図６】変形例における図３相当図である。
【図７】図６において、サイドレールを上下反転させた状態図である。
【符号の説明】
【００２０】
２        マットレス
３        サイドレール
３ａ      上端面
４        ヘッドボード
５        フットボード
５ａ      上端面
７        受桟
９        脚部
１０      クッション材付床盤
１０ａ    分割床盤
１１      生地
１２      床板
１２Ａ    非弾性ボトム
１３      四角枠
１４      平行桟
１５      平板
２０      クッション部材
２１      コイルスプリング
２２      アッパー緩衝シート
２３      アンダー緩衝シート
２４      タッカー釘
【図１】
0003115618.tif 000003
【図２】
0003115618.tif 000004
【図３】
0003115618.tif 000005
【図４】
0003115618.tif 000006
【図５】
0003115618.tif 000007
【図６】
0003115618.tif 000008
【図７】
0003115618.tif 000009